(57)【要約】【課題】システムキッチン組込み式冷蔵庫において庫内温度を一定に保つ。【解決手段】システムキッチンの引出し式冷蔵庫において、外板と内板とその間に充填される断熱材で構成される断熱扉１７と、収納部内側左右側面下部に取り付けたレール２８と前記断熱扉１７に取り付けたレール載置用のステー２８ａと、両ステーを連結する連結部材２８ｂと、前記ステーと連結部材の上に載せた上面を開口した容器２７とより成り、前記容器を前記収納部の前面開口部まで引き出し可能とし容器上に冷気流通穴を複数個設けた前後にスライドする蓋を設けたので、庫内冷気の外部への流出、庫外暖気の庫内への流入を防止し、庫内温度を一定に保つことができる。【選択図】図４
2006242498.tif 000002
【特許請求の範囲】
【請求項１】
システムキッチンなどの収納スペースの一区画に設置される冷蔵庫であって、外箱と内箱とその間に充填される断熱材で構成される前面が開口する収納部と、外板と内板とその間に充填される断熱材で構成される断熱扉と、収納部内側左右側面下部に取り付けたレールと前記断熱扉に取り付けたレール載置用のステーと、両ステーを連結する連結部材と、前記ステーと連結部材の上に載せた上面を開口した容器とより成り、前記容器を前記収納部の前面開口部まで引き出すことを特徴とするシステムキッチン組み込み式冷蔵庫。
【請求項２】
上記容器上に冷気流通穴を複数個設けた前後にスライドする蓋を設けたことを特徴とする請求項１記載のシステムキッチン組み込み式冷蔵庫。
【発明の詳細な説明】
【技術分野】
【０００１】
本発明はシステムキッチンの一区画の空間に収納できるよう構成した冷蔵庫の収納形態及びその構成に関するものである。
【背景技術】
【０００２】
従来システムキッチン等に収納される機器としては、電気式レンジオーブン・テーブル、ガス式オーブン・テーブル、食器洗い乾燥機、生ごみ処理機等が主なものである。特に最近は食器洗い乾燥機でも、ボックス状の収納部が引き出し式であるものが主流となり、収納部についても、上段から下段まで引き出し式の収納部となっている。
【０００３】
図７は、特許文献１に記載されたシステムキッチン用の保冷庫を示すものである。図７に示すように、台所収納体の組付け空間１に組み込まれる外ケース２に出し入れされる容器状の収納体３と,ペルチェ素子４、送風ファン５、及び熱交換器６等で構成し、容器状の収納体を周囲温度より低い温度にした保冷庫をシステムキッチンの収納部の一部に配設することで、食品の変質や味落ちを防止できる。
【特許文献１】特開２００３−１６１５６５号公報
【発明の開示】
【発明が解決しようとする課題】
【０００４】
しかしながら、上記従来構成では、容器状の収納体を引き出したとき収納体を冷やす冷気が冷却庫内より外部に流出し、また外部の暖気を吸込むことにより冷却庫内の温度が上昇し温度を一定に保てない。また所定の温度まで冷却するのに余分な消費電力が必要という課題を有していた。
【０００５】
本発明は、上記従来の課題を解決するもので、引き出し式の扉を開けたとき庫内冷気を庫外に流出させず、庫内温度の安定と消費電力の削減を図ることができるよう構成した冷蔵庫を提供することを目的とする。
【課題を解決するための手段】
【０００６】
上記従来の課題を解決するために、本発明の冷蔵庫は、システムキッチンの引き出しスペースに設置される冷蔵庫であって、前面を開口した貯蔵室の左右どちらか一方に前記貯蔵室を冷却するための冷却ユニットを集中配置し、前記貯蔵室は、固定レールと前後方向にスライド可能に前記固定レールに支持される可動レールとからなるレール機構を左右の内側壁下部に備え、前記貯蔵室の前面開口部を開閉する引き出し式の扉の内面には、前記レール機構と係合して前記貯蔵室内の奥行き寸法分の前記扉の引き出しができるように前記扉を支持する受枠が固定され、前記受枠には上面を開口した容器が載せられたものである。
【０００７】
これによって、引き出し式扉を開けたときでも庫内冷気を流出させず、外部暖気を吸込むこともなく庫内温度を一定に保つことができることとしたものである。また上面を開口した容器の上面に前後にスライドする蓋を設けることにより扉を開けたとき容器内の温度上昇を抑制することとしたものである。
【発明の効果】
【０００８】
本発明の冷蔵庫は、システムキッチン内の限られた空間において、システムキッチンの枠内に簡単にビルトイン設置でき、庫内温度を一定に保つことができる。
【発明を実施するための最良の形態】
【０００９】
請求項１に記載の発明は、システムキッチンの引き出しスペースに設置される冷蔵庫であって、前面を開口した貯蔵室の左右どちらか一方に前記貯蔵室を冷却するための冷却ユニットを集中配置し、前記貯蔵室は、固定レールと前後方向にスライド可能に前記固定レールに支持される中間レールと可動レールとからなるレール機構を左右の内側壁下部に備え、前記貯蔵室の前面開口部を開閉する引き出し式の扉の内面には、前記レール機構と係合して前記貯蔵室内の奥行き寸法分の前記扉の引き出しができるように前記扉を支持する受枠が固定され、前記受枠には上面を開口した容器が載せられ、この容器の引出し寸法を容器の後面が前記貯蔵室の前面開口部までとしたことで庫内冷気と庫外暖気の流入出を防ぎ庫内温度を一定にできる空間を提供することができる。
【００１０】
請求項２に記載の発明は、請求項１記載の発明の上面を開口した容器の上面に冷気流通穴を複数個設けた前後方向にスライドする蓋を設けることにより引出し扉を開けたとき容器内の温度上昇を防ぐことができる。
【００１１】
以下、本発明の実施の形態について、図面を参照しながら説明する。なお、実施の形態によってこの発明が限定されるものではない。
【００１２】
（実施の形態１）
図１は、本発明の実施の形態１におけるシステムキッチン組立時の冷蔵庫の斜視図であり、システムキッチンは奥行き・幅・高さなどで様々な種類があり、調理などをするワークトップ９はシステムキッチンの外枠１０の上部に構成されており、ワークトップにはシンク１１、その下に引き出し収納スペース１２、その下に本発明のシステムキッチン組み込み式冷蔵庫１３で構成されている。システムキッチン組み込み式冷蔵庫の前面には、化粧板１４ａ、吸込み口付き化粧板１４ｂが構成されている。このような構成をすることにより、システムキッチンの外観を損なわずにシステムキッチン組み込み式冷蔵庫１３を組み込むことができる。
【００１３】
図２は同実施例のシステムキッチン組み込み式冷蔵庫１３を前面に引き出したときの斜視図であり、システムキッチン組み込み式冷蔵庫１３は大きくは収納部１５、機械室１６ａで構成されている。収納部１５の前面には断熱扉１７があり断熱扉１７にはシステムキッチン外観を統一するために意匠パネルドア１４ａが取り付けられている。機械室部１６ａの前面には吸込みグリル１４ｃを一体成形した吸込み口付き化粧板１４ｂが取り付けられている。
【００１４】
図３は同実施例のシステムキッチン組み込み式冷蔵庫の部分斜視図であり、機械室１６ａは、冷却ユニット１８の放熱器１９、ファンモータ２０、電源制御基板２１、蒸発皿２２、排気ダクト１６ｂで構成されている。収納部１５の庫内２３は冷却ユニット１８の冷却器２４と庫内２３を分ける冷気吸込み口２５ａを有した庫内カバー２５、庫内攪拌用ファンモータ２６、収納ケース２７を前後方向にスライドさせるレール２８で収納部１５の庫内を構成している。レール２８には固定レール２８ａ、図示しない中間レール２８ｂ、可動レール２８ｃで構成されている。
【００１５】
図４は同実施例のシステムキッチン組み込み式冷蔵庫の引き出し式扉開時の横断面図であり、収納容器２７の後面を冷気吸込み口２５ａの前方向である収納部１５の前面開口部まで引き出したものである。
【００１６】
図５は同実施例のシステムキッチン組み込み式冷蔵庫の冷却ユニット１８の断面図であり、ペルチェ素子２９、冷却器２４とペルチェ素子２９の熱交換をさせるためのヒートコンダクタ３０、ペルチェ素子２９によって出された熱を排熱するための高温側の放熱器１９、冷却器２４、ペルチェ素子２９、ヒートコンダクタ３０、放熱器１９を連結するケースコンダクタ３１で構成されている。
【００１７】
図６は同実施例のシステムキッチン組み込み式冷蔵庫の収納容器２７の上面図及び横断面図であり、収納容器２７の上面開口部に前後方向にスライドする蓋３２があり前蓋３２ａと後蓋３２ｂとに分かれている。
さらに、システムキッチン組み込み式冷蔵庫１３は、温度の設定により保冷庫や乾燥庫、温蔵庫としても使用することができる。
【００１８】
次に、同実施例の動作を説明する。まず機械室１６側を説明する。吸込み口付き化粧板１４ｂから吸込まれた空気は、ペルチェ素子２９から出された熱を放熱器１９と熱交換し、ファンモータ２０により吸込まれ、電源制御基板を２１冷却する。放熱器１９と電源制御基板２１と熱交換した高温空気は下部の排気ダクト１６ｂに導かれ、蒸発皿２２を通過して庫内からのドレン水を蒸発させ、台所空間に放出される。また収納部１５側は、庫内攪拌用ファンモータ２６から吐出された冷気は収納部１５奥面を通り収納ケース２７に流入し庫内カバーの冷気吸込み口から吸入され、冷却器２４で再び吸熱されて収納容器２７に送風する。断熱扉１７開時であっても収納容器２７の後面が冷気吸込み口の前方で収納部１５の前面開口部までであるため庫内冷気の庫外への流出、また庫外暖気の庫内への流入がない。
【００１９】
さらに、冷蔵庫１３は、温度の設定により保冷庫や乾燥庫、温蔵庫としても使用することができる。
【産業上の利用可能性】
【００２０】
以上のように、本発明にかかる冷蔵庫は、限られた空間を有効に活用できるのでシステムキッチンなどのビルトイン機器に適用できる。
【図面の簡単な説明】
【００２１】
【図１】本発明の実施の形態１におけるシステムキッチン組立時の冷蔵庫の斜視図
【図２】本発明の実施の形態１におけるシステムキッチンに冷蔵庫を前面に引出した時の斜視図
【図３】本発明の実施の形態１における冷蔵庫の部分斜視図
【図４】本発明の実施の形態１における冷蔵庫の引出し扉開時の横断面図
【図５】本発明の実施の形態１における冷蔵庫の冷却ユニットの断面図
【図６】本発明の実施の形態１における冷蔵庫の収納容器の上平面図と横断面図
【図７】従来のシステムキッチン組み込み式保冷庫の斜視図
【符号の説明】
【００２２】
１３    システムキッチン組み込み冷蔵庫
１５    収納部
１７    断熱扉
２７    収納容器
２８    レール
２８ａ    ステー
２８ｂ    連結部材
３２    蓋
【図１】
2006242498.tif 000003
【図２】
2006242498.tif 000004
【図３】
2006242498.tif 000005
【図４】
2006242498.tif 000006
【図５】
2006242498.tif 000007
【図６】
2006242498.tif 000008
【図７】
2006242498.tif 000009